(57)【要約】  【課題】通常位置はもちろん、首方向に傾けることもでき、さらに、胸元や肩がかなり広く開放されるタイプの服装の場合は肩外方へ大きく傾けて、肩紐を見せないようにするという肩紐の3位置の選択が容易にできるようにする。  【解決手段】平板本体（18）と、この平板本体の中に設けた第1溝穴（14）及び第2溝穴（15）からなる。前記第1溝穴は、直線状溝穴である。前記第2溝穴は、前記第1溝穴とほぼ平行に伸びる平行溝穴（15b）と、前記平行溝穴と一定角度を有して伸びる非平行溝穴（15c）とからなり、しかもこれら平行溝穴と非平行溝穴は少なくとも1個所でつながっている。【選択図】図1
2006161211.tif 000002
【特許請求の範囲】
【請求項１】
平板本体（１８，２１，３１，４１）と、この平板本体の中に設けた第１溝穴（１４，２２，３２，４２）及び第２溝穴（１５，２３，３３，４３）からなり、前記第１溝穴は、直線状溝穴であり、前記第２溝穴は、前記第１溝穴とほぼ平行に伸びる平行溝穴（１５ｂ，２３ａ，３３ａ，４３ａ）と、前記平行溝穴と一定角度を有して伸びる非平行溝穴（１５ｃ，２３ｂ，３３ｂ，３３ｃ，４３ｂ，４３ｃ）とからなり、しかもこれら平行溝穴と非平行溝穴は少なくとも１個所でつながっていることを特徴とする肩紐止め具。
【請求項２】
前記第２溝穴（１５）が、中央の境界（１５ａ）によって隔てられた円弧からなり、この円弧は第１溝穴（１４）とほぼ平行な平行溝穴（１５ｂ）と非平行溝穴（１５ｃ）からなるものである請求項記載の肩紐止め具。
【請求項３】
前記第２溝穴（２３）が、×印のようにクロスしており、第１溝穴（２２）と平行な平行溝穴（２３ａ）と非平行溝穴（２３ｂ）からなるものである請求項記載の肩紐止め具。
【請求項４】
前記第２溝穴（３３）が、第１溝穴（３２）と平行な平行溝穴（３３ａ）と、平行棒の両端から伸びる２本の非平行溝穴（３３ｂ，３３ｃ）からなるものである請求項記載の肩紐止め具。
【請求項５】
前記第２溝穴（４３）が、第１溝穴（４２）と平行な平行溝穴（４３ａ）と、その平行棒の中心付近でクロスする２本の非平行溝穴（４３ｂ，４３ｃ）からなるものである請求項記載の肩紐止め具。
【発明の詳細な説明】
【技術分野】
【０００１】
本発明は、肩紐止め具及びそれを使用した女性用衣類に関する。本明細書において、「肩紐止め具」とは、肩紐を女性用衣類のカップ部上縁に接続するための金属製又はプラスチック製の部品をいう。この肩紐止め具を使用する女性用衣類としては、カップ部を有するものであれば何でもよく、例えばブラジャー、スリップ、ブラスリップ、キャミソール、ボディースーツが挙げられる。以下の説明では、ブラジャーを例にして説明する。
【背景技術】
【０００２】
従来最もよく使用されている肩紐止め具は単なるリングである。この止め具の欠点は、肩紐の先端部はこのリングの内方縁に沿って自由に滑動するので、肩紐もそれにつれて動き、肩紐が肩からずり落ちそうになることである。特に、なで肩の人にとってはやっかいな問題である。
【０００３】
この問題を解決するため幾つかの提案がなされている。下記特許文献１では、カップ部に係止される水平な下側端縁とストラップ先端部が掛けられる上側端縁とを有して全体として矩形状をなし、上記上側端縁は下側端縁に対して傾斜し、この上側端縁の延長軸線と首筋の軸線との隣接角がブラジャーを装着したときに９０度以下としたことを特徴としている。
【０００４】
下記特許文献２では、乳房カップ部の上部に取り付けられる第１の辺部と、ストラップに取り付けられる第２の辺部と、前記第１の辺部と前記第２の辺部とを結ぶ第３の辺部とを有し、これら３つの辺部より三角形を形成し、前記第１の辺部と前記第２の辺部とが互いに所定角度を有して傾斜することで上記乳房カップ部間中心方向側に交点を形成し、これにより上記ストラップの延伸方向を垂直方向からずらして該左右の乳房カップ部間中心方向へ強制的に傾ける構成としてなることを特徴としている。
【０００５】
下記特許文献３では、外周枠より一体的に突出する仕切枠を介して上部に肩紐挿通用の第一空間、下部にカップ側連結布挿通用の第二空間を備え、上記仕切枠により、上記外周枠の幅方向中心を通る上下基準線に対して左右を非対称とし、上記肩紐挿通用の第一空間は左右方向の一方側を他方側より大きくし、上記空間の大きい側は肩紐の可動許容量を大とする一方、他方は肩紐が一定以上動かない構成としていることを特徴とする。
【０００６】
下記特許文献４では、互いに隣接する二つの孔を有する枠状体により構成され、その各孔に肩紐を挿通することによりその肩紐の長さ調整用として適用し得る肩紐用止め具であって、前記各孔の互いに隣接する方向と直交する方向に沿う当該一方の孔の一側縁位置を当該他方の孔の同側縁位置に対してずれた配置にしたことを特徴としている。
【特許文献１】実用新案登録第３０５４１５０号
【特許文献２】特許第３２３２０１６号
【特許文献３】特開２００２−６１００６
【特許文献４】特許第３０５４１４２号
【発明の開示】
【発明が解決しようとする課題】
【０００７】
前記した特許文献１〜４では、要するに、肩紐を強制的に首方向に傾かせている。それはそれで結構なことであり、本発明においても部分的に採用するが、単に首方向に傾けるだけでは不十分な場合がある。というのは、例えば胸元や肩がかなり広く開放されるタイプの衣類では、首方向に傾けられた肩紐はもちろん通常タイプのものでも肩紐が外部から露出してしまい、ファッション性を著しく損なってしまう。
【０００８】
本発明は、女性用衣類の肩紐を通常位置はもちろん、首方向に傾けることもでき、さらに、胸元や肩がかなり広く開放されるタイプの服装の場合は肩外方へ大きく傾けて、肩紐を見せないようにすることもできるような肩紐止め具を提供することを目的とする。
【課題を解決するための手段】
【０００９】
本発明の肩紐止め具は、平板本体と、この平板本体の中に設けた第１及び第２溝穴からなり、前記第１溝穴は、直線状溝穴であり、前記第２溝穴は、前記第１溝穴とほぼ平行に伸びる平行溝穴と、前記平行溝穴と一定角度を有して伸びる非平行溝穴とからなり、しかもこれら平行溝穴と非平行溝穴は少なくとも１個所でつながっていることを特徴とする。
【発明の効果】
【００１０】
本発明の肩紐止め具によれば、通常位置はもちろん、首方向に傾けることもでき、さらに、胸元や肩がかなり広く開放されるタイプの服装の場合は肩外方へ大きく傾けて、肩紐を見せないようにするという３位置の選択が容易にできる。
【発明を実施するための最良の形態】
【００１１】
平板本体は、溝穴を設定できる大きさであれば、どのような外形であってもよい。例えば、下記実施例に示すように、楕円平板を１／４に切断して角を丸めたような形状であったり、角を丸めた四角形状であったりする。
【００１２】
溝穴の長さや大きさは肩紐を通過させるのに十分なものであればよい。通常の場合長さは10〜13mm程度である。
【００１３】
溝穴は、１本の直線状の第１溝穴と、この第１溝穴と一体の関係を有する第２溝穴からなる。第２溝穴は、前記第１溝穴とほぼ平行に伸びる平行溝穴と、前記平行溝穴と一定角度を有して伸びる非平行溝穴とからなり、しかもこれら平行溝穴と非平行溝穴は少なくとも１個所でつながっている。ここで「平行」及び「角度を有する」とは必ずしも厳密な２本の直線により形成されるものとは限らず、例えば下記実施例に示すように、多少円弧を描いているようなものでもよい。要するに、「平行」とは、肩紐をそれぞれの溝穴につないだときに自然状態で肩紐が直線的に伸びるものであればよく、「角度を有する」とは、肩紐をそれぞれの溝穴につないだときに自然状態で肩紐が曲がって伸びるものであればよい。
【００１４】
第２溝穴の形態は様々なものがあり得る。例えば以下のようなものである。
【００１５】
（１）中央の境界によって隔てられた円弧からなり、この円弧は第１溝穴と平行な平行溝穴と非平行溝穴からなるもの。
（２）×印のようにクロスしており、第１溝穴と平行な平行溝穴と非平行溝穴からなるもの。
（３）第１溝穴と平行な平行溝穴と、平行棒の両端から伸びる２本の非平行溝穴からなるもの。
（４）第１溝穴と平行な平行溝穴と、その平行棒の中心付近でクロスする２本の非平行溝穴からなるもの。
【００１６】
上記（３）（４）の実施態様では左右対称となって方向性がなく、上記３位置をとらせるために肩紐止め具の設定の向きを考慮する必要がないという特別の効果がある。
【実施例１】
【００１７】
以下、添付の図面に基づき、本発明の実施例を説明する。
【００１８】
図１は本発明の肩紐止め具の正面図である。図２は通常位置にある肩紐止め具の着用した女性用衣類の着用状態の正面図である。
【００１９】
最初に、本発明の肩紐止め具１０自体の構造を図１に基づき説明する。全体は楕円平板を１／４に切断して角を丸めたような形状の平板１８である。したがって、長辺１１と、短辺１２と、円弧１３からなる輪郭を有する。その平板の中に、細い貫通溝穴が２本形成されている。第１溝穴１４は、前記長辺に沿って平行に伸びているが、長さは、長辺の半分程度である。第２溝穴１５は、円弧に沿って湾曲しながら伸びている。中間点において溝穴が急角度で曲がり、また元に戻っている。中間点を境界１５ａと呼び、第１溝穴１４とほぼ平行な溝穴を平行溝穴１５ｂ、第１溝穴１４とは非平行な溝穴を非平行溝穴１５ｃと呼ぶ。
【００２０】
図１及び２の状態（通常位置）では、肩紐止め具の第１溝穴１４と第２溝穴の平行溝穴１５ｂを使用する。これら２本の溝穴はほぼ平行であるから、肩紐１６はほぼ垂直に設定される。すなわち、第１溝穴１４が肩紐１６と接続され、平行溝穴１５ｂがカップ１７端部の紐１９と接続される。
【００２１】
肩紐止め具の設定の向きは、図３（ａ）のように、非平行溝穴が外側に来るようにしてもよいし、図４（ａ）のように、非平行溝穴が内側に来るようにしてもよい。また、図３の（ｂ）（ｃ）及び図４の（ｂ）（ｃ）に示すように、上下を逆にして反転させてもよい。
【００２２】
図３は肩外方へ傾けた位置にある肩紐止め具の着用した女性用衣類の着用状態の正面図（ａ）と拡大図（ｂ−２，ｃ−２）である。拡大図が２種類あるのは、止め具は上下を逆にして反転させても使用できるからである。このような位置に肩紐を配置するのは、胸元や肩がかなり広く開放されるタイプの衣類を着用するときである。
【００２３】
このとき、肩紐止め具の第１溝穴１４と第２溝穴の非平行溝穴１５ｃを使用する。これら２本の溝穴は非平行で、両者がなす角度は約４５度である。このとき、肩紐１６は肩外方へ大きくそれる。すなわち、図３（ｂ−２）のように、第１溝穴１４が肩紐１６と接続され、非平行溝穴１５ｃがカップ１７端部の紐１９と接続される。または、図３（ｃ−２）のように上下を逆にして反転させてもよく、そのときは平行溝穴１５ｂが肩紐１６と接続され、第１溝穴１４がカップ１７端部の紐１９と接続される。
【００２４】
肩紐を図２の位置から図３（ａ）の位置に変更するには、図３（ｂ−１）の位置から図３（ｂ−２）の位置になるように、着衣者自身が肩紐１９を平行溝穴１５ｂから非平行溝穴１５ｃに境界１５ａを越して移動させるだけでよい。図３（ｃ−１）から図３（ｃ−２）への場合は、肩紐１６を平行溝穴１５ｂから非平行溝穴１５ｃに境界１５ａを越して移動させる。
【００２５】
図４は首方向へ強制的に傾けた位置にある肩紐止め具の着用した女性用衣類の着用状態の正面図（ａ）と拡大図（ｂ−２，ｃ−２）である。拡大図が２種類あるのは、止め具は上下を逆にして反転させても使用できるからである。このような位置に肩紐を配置するのは、肩紐が外部から見えないような衣類の場合であって、ずり落ちを防止したいときである。
【００２６】
このときも、肩紐止め具の第１溝穴１４と第２溝穴の非平行溝穴１５ｃを使用する。これら２本の溝穴は非平行で、両者がなす角度は約４５度である。このとき、肩紐１６は首側へ大きく傾く。すなわち、図４（ｂ−２）のように、第１溝穴１４が肩紐１６と接続され、非平行溝穴１５ｃがカップ１７端部の紐１９と接続される。または、図４（ｃ−２）のように上下を逆にして反転させてもよく、そのときは平行溝穴１５ｃが肩紐１６と接続され、第１溝穴１４がカップ１７端部の紐１９と接続される。
【００２７】
図２の位置から図４（ａ）の位置に変更するには、図４（ｂ−１）の位置から図４（ｂ−２）の位置になるように、着衣者自身が肩紐１９を平行溝穴１５ｂから非平行溝穴１５ｃに境界１５ａを越して移動させるだけでよい。図４（ｃ−１）から図４（ｃ−２）への場合は、肩紐１６を平行溝穴１５ｂから非平行溝穴１５ｃに境界１５ａを越して移動させる。
【実施例２】
【００２８】
図５は第２実施例で使用する肩紐止め具２０の正面図である。角が丸みを帯びたほぼ四角形の本体２１からなる平板に貫通溝穴が２本（数え方によれば３本）設定されている。第１溝穴２２は一辺に沿って平行に設定されている。第２溝穴２３は×印のようにクロスしており、第１溝穴と平行な平行溝穴２３ａと非平行溝穴２３ｂからなる。
【００２９】
この肩紐の使用法、特に平行溝穴と非平行溝穴の使い方は、実施例１と同様であるので、詳細な説明は省略する。
【実施例３】
【００３０】
図６は第３実施例で使用する肩紐止め具３０の正面図である。角が丸みを帯びたほぼ台形の本体３１からなる平板に貫通溝穴が２本設定されている。第１溝穴３２は台形の底辺に沿って平行に設定されている。第２溝穴３３は、第１溝穴と平行な平行溝穴３３ａと、平行棒の両端から伸びる２本の非平行溝穴３３ｂ，３３ｃからなる。
【００３１】
この肩紐の使用法、特に平行溝穴と非平行溝穴の使い方は、前記各実施例と同様であるので、詳細な説明は省略する。
【００３２】
この実施例で特筆すべきことは、左右対称なので、設定の方向性がないことである。
【実施例４】
【００３３】
図７は第４実施例で使用する肩紐止め具４０の正面図である。角が丸みを帯びたほぼ四角形の本体４１からなる平板に貫通溝穴が２本（数え方によれば４本）設定されている。第１溝穴４２は一辺に沿って平行に設定されている。第２溝穴４３は第１溝穴と平行な平行溝穴４３ａと、その平行棒の中心付近でクロスする２本の非平行溝穴４３ｂ，４３ｃからなる。
【００３４】
この肩紐の使用法、特に平行溝穴と非平行溝穴の使い方は、前記各実施例と同様であるので、詳細な説明は省略する。
【００３５】
この実施例も第３実施例と同様に、左右対称なので、設定の方向性がない。
【図面の簡単な説明】
【００３６】
【図１】本発明の一実施例である肩紐止め具の正面図である。
【図２】通常位置にある肩紐止め具の着用した女性用衣類の着用状態の正面図（ａ）と拡大図（ｂ，ｃ）である。
【図３】肩外方へ傾けた位置にある肩紐止め具の着用した女性用衣類の着用状態の正面図（ａ）と拡大図（ｂ，ｃ）である。
【図４】首方向へ強制的に傾けた位置にある肩紐止め具の着用した女性用衣類の着用状態の正面図（ａ）と拡大図（ｂ，ｃ）である。
【図５】第２実施例で使用する肩紐止め具２０の正面図である。
【図６】第３実施例で使用する肩紐止め具３０の正面図である。
【図７】第４実施例で使用する肩紐止め具４０の正面図である。
【符号の説明】
【００３７】
14, 22, 32, 42  第１溝穴
15, 23, 33, 43  第２溝穴
15a  境界
15c, 23b, 33b, 33c, 43b, 43c  非平行溝穴
15b, 23a, 33a, 43a  平行溝穴
16    肩側の肩紐
17    カップ
18    平板
19    カップ側の肩紐
20    止め具
30    止め具
40    止め具
41    本体
【図１】
2006161211.tif 000003
【図２】
2006161211.tif 000004
【図３】
2006161211.tif 000005
【図４】
2006161211.tif 000006
【図５】
2006161211.tif 000007
【図６】
2006161211.tif 000008
【図７】
2006161211.tif 000009